(57)【特許請求の範囲】
【請求項１】
複数の波長の可視レーザ光を選択的に患部に照射する医療用レーザ装置において、
所定の赤外域のレーザ光を出射するファイバレーザ光源であって，励起光源と，該励起光源からの励起光が入力される第１ファイバレーザと，第１ファイバレーザの入力端側に配置されて全反射ミラーとして機能するファイバ・ブラッグ・グレーティングと，第１ファイバレーザの後端に接続された光スイッチと，該光スイッチの切換え経路にそれぞれ接続され，所定の異なる波長の基本波レーザ光をそれぞれ発振するための出力ミラーとして機能するファイバ・ブラッグ・グレーティングが各出力端側に配置された複数の第２ファイバレーザと，を持つファイバレーザ光源と、
前記ファイバレーザ光源から異なる波長で出射される基本波レーザ光に対応して、それぞれの基本波レーザ光をその第２高調波に変換する複数の波長変換素子と、
レーザ光の波長の選択信号を入力する波長選択手段と、
前記選択信号に応じた基本波レーザ光が前記ファイバレーザ光源から出射されるように前記光スイッチの切換え動作を制御する制御手段と、
前記波長変換素子により波長変換された可視レーザ光を患部に導光する導光光学系と、
を備えることを特徴とする医療用レーザ装置。
【発明の詳細な説明】
【技術分野】
【０００１】
本発明は、異なる波長の可視治療用レーザ光を選択的に患者眼等に照射して治療を行う医療用レーザ装置に関する。
【背景技術】
【０００２】
眼科分野の光凝固治療においては、多波長クリプトンレーザや、Ｎｄ：ＹＡＧ固体レーザからの赤外光を異なる波長変換素子により多波長の可視光に波長変換したものが使用されてきた。しかし、多波長クリプトンレーザはレーザチューブが短寿命であり、装置が大型化する欠点がある。Ｎｄ：ＹＡＧ固体レーザでは、波長変換できる波長が限られており、光凝固に好ましいオレンジレーザ光は得られない。そこで、光通信分野で研究がなされているラマンファイバレーザを応用して、治療に適した多波長の可視レーザ光を高出力で得ようとするものが提案されている（例えば、特許文献１参照）。
【特許文献１】特開２００４-３２１５０７号公報
【発明の開示】
【発明が解決しようとする課題】
【０００３】
しかしながら、ラマンシフトを使用したラマンファイバレーザは、得ようとする波長に応じて適切な特性を有するファイバ・ブラッグ・グレーティングを幾つも組み合わせて製作する必要があり、構成が複雑で高価なものになる。多波長のレーザ光を得るためには、波長に応じたラマンファイバを複数使用する必要があり、高価なラマンファイバを複数使用することはコスト的に不利である。また、ラマンファイバレーザでは、ラマンシフトされたレーザ光のスペクトル幅が広くなりやすいために、入力レーザ光の全体強度に対して波長変換素子の変換効率が低くなる問題がある。このため、治療に必要な１Ｗ以上の可視レーザ光を得ようとすると、大きな入力の励起光源が必要になり、装置が高価になる。
【０００４】
本発明は、上記従来技術の問題点に鑑み、治療に適した多波長の可視レーザ光を安価に得ることができる医療用レーザ装置を提供することを技術課題とする。
【課題を解決するための手段】
【０００５】
上記課題を解決するために、本発明は次のような構成を備えることを特徴とする。
【０００６】
（１）  複数の波長の可視レーザ光を選択的に患部に照射する医療用レーザ装置において、所定の赤外域のレーザ光を出射するファイバレーザ光源であって，励起光源と，該励起光源からの励起光が入力される第１ファイバレーザと，第１ファイバレーザの入力端側に配置されて全反射ミラーとして機能するファイバ・ブラッグ・グレーティングと，第１ファイバレーザの後端に接続された光スイッチと，該光スイッチの切換え経路にそれぞれ接続され，所定の異なる波長の基本波レーザ光をそれぞれ発振するための出力ミラーとして機能するファイバ・ブラッグ・グレーティングが各出力端側に配置された複数の第２ファイバレーザと，を持つファイバレーザ光源と、前記ファイバレーザ光源から異なる波長で出射される基本波レーザ光に対応して、それぞれの基本波レーザ光をその第２高調波に変換する複数の波長変換素子と、レーザ光の波長の選択信号を入力する波長選択手段と、前記選択信号に応じた基本波レーザ光が前記ファイバレーザ光源から出射されるように前記光スイッチの切換え動作を制御する制御手段と、前記波長変換素子により波長変換された可視レーザ光を患部に導光する導光光学系と、を備えることを特徴とする。
【発明の効果】
【０００７】
本発明によれば、治療に適した多波長の可視レーザ光を安価に得ることができる。
【発明を実施するための最良の形態】
【０００８】
以下、本発明の好ましい実施の形態を図面に基づいて説明する。図１は、第１実施形態の眼科用レーザ装置の概略構成図である。
【０００９】
２は励起光源としてのＬＤ（半導体レーザ）である。ＬＤ２は複数個用意しても良い。ＬＤ２から出力された波長λp（例えば、波長９８０ｎｍ）の励起光は、カプラ４を介してファイバレーザ１０に入力される。ファイバレーザ１０は、ＬＤ２からの励起光が入力される１つの第１ファイバレーザ１０ａと、Ｎ個の第２ファイバレーザ１０ｂ1，１０ｂ2，…，１０ｂnを備える。第１ファイバレーザ１０ａ，第２ファイバレーザ１０ｂ1〜１０ｂnは、Ｙｂ（イットリウム）がコア部分にドープされたＹｂガラスファイバからなる。このＹｂガラスファイバの吸収スペクトル特性と放射スペクトル特性を、図２に示す。Ｙｂガラスファイバによるレーザ発振は、後述する波長変換素子で第２高調波に変換したときの緑色レーザ光の基本波となる波長１０４０ｎｍ付近から、少なくともオレンジレーザ光の基本波となる波長１１６０ｎｍが発振できることは確認されており、波長１２００ｎｍまでの波長域で発振可能である。
【００１０】
図１において、第１ファイバレーザ１０ａの後端には伝送経路選択器としての光スイッチ１２に接続されている。光スイッチ１２は、入力１個×出力Ｎ個の構造を持つ。光スイッチ１２のＮ個の各出力端には、Ｎ個の第２ファイバレーザ１０ｂ1〜１０ｂnが接続されている。第１ファイバレーザ１０ａの入力端側には、全反射ミラーとして機能するＦＢＧ（ファイバ・ブラッグ・グレーティング）１１ａが形成されている。一方、第２ファイバレーザ１０ｂ1〜１０ｂnの出力端側には、それぞれ波長λ１、λ2、…、λnのレーザ光を発生させるための出力ミラーとして機能するＦＢＧ１１ｂ1、ＦＢＧ１１ｂ2、…、ＦＢＧ１１ｂnが形成されている。ＦＢＧ１１aは、ＬＤ１からの波長λpの励起光を透過し、第２ファイバレーザ１０ｂ1〜１０ｂnから出力させる波長λ１、λ2、…、λnの光をほぼ全反射する特性を有する。ＦＢＧ１１ｂ1、ＦＢＧ１１ｂ2、…、ＦＢＧ１１ｂnは、波長λpの励起光をほぼ全反射すると共に、それぞれに対応した波長λ１、λ2、…、λnの出力光に対して一部透過の特性を有する。第１ファイバレーザ１０ａのＦＢＧ１１ａと第２ファイバレーザ側のＦＢＧ１１ｂ1〜ＦＢＧ１１ｂnとにより、各レーザ波長λ１〜λnについての共振器が規定される。そして、第１ファイバレーザ１０ａと、光スイッチ１２によって選択的に伝送経路が切換えられる第２ファイバレーザ１０ｂ1〜１０ｂnの何れかより、その切換えに対応した波長のレーザ光が発振される。
【００１１】
ファーバレーザ光源１は、以上の励起光源２、カプラ４、ＦＢＧ１１ａが形成された第１ファイバレーザ１０ａ、光スイッチ１２、ＦＢＧ１１ｂ1〜ＦＢＧ１１ｂnがそれぞれ形成された複数の第２ファイバレーザ１０ｂ1〜１０ｂnから構成されている。ファーバレーザ光源１から発振する波長λ１〜λnは、眼科用の光凝固用として、波長１０６０〜１２００ｎｍの波長域で選択できるように構成される。好ましくは、波長５２０〜５４０ｎｍの緑色レーザ光の基本波となる波長１０２０〜１０８０ｎｍの内の１つと、波長５８０〜６００ｎｍのオレンジ色レーザの基本波となる波長１１６０〜１２００ｎｍの内の１つが発振できるように構成される。
【００１２】
なお、ファーバレーザ１０の構成としては、光スイッチ１２の前に配置した第１ファイバレーザ１０ａを使用しない構成でも良い。すなわち、ＬＤ２から励起光を光スイッチ１２に直接入力すると共に、第２ファイバレーザ１０ｂ1〜１０ｂnのそれぞれの入力側にＦＢＧ１１ａを形成し、光スイッチ１２により選択的に経路を切換えて第２ファイバレーザ１０ｂ1〜１０ｂnのみで基本波レーザ光を発振させる。この構成の場合、各第２ファイバレーザ１０ｂ1〜１０ｂnにＦＢＧ１１ａを形成する必要があると共に、各選択波長を発振させるための長さを持つファイバが必要でる。これに対して、図１の構成においては、各発振波長に共通の第１ファイバレーザ１０ａを使用することにより、ＦＢＧ１１ａの形成の数を減らすことができると共に、各第２ファイバレーザ１０ｂ1〜１０ｂnを構成するファイバの長さを短くできるので、コスト的に有利である。また、光スイッチ１２の負荷を小さくできる。
【００１３】
第２ファイバレーザ１０ｂ1〜１０ｂnの出力端には、波長合成器としての光スイッチ１４が接続されている。光スイッチ１４は、入力Ｎ個×出力１個の構造を持つ。光スイッチ１４の出力ポートには伝送ファイバ１６が接続されている。伝送ファイバ１６の先にはファイバアンプ２０が接続されている。ファイバアンプ２０は、ファイバレーザ１０と同じＹｂドープのガラスファイバからなる増幅用ファイバ２１と、増幅用ファイバ２１の両端に配置された波長カプラ２２ａ，２２ｂと、波長カプラ２２ａ，２２ｂに接続される複数個のＬＤ２４（半導体レーザ）とを含む。増幅用ファイバ２１には伝送ファイバ１６からの信号光と同一方向の励起光と逆方向の励起光とがＬＤ２４から入力され、励起光によって伝送ファイバ１６からのレーザ光の強度が増幅される。なお、ファイバアンプ２０の入力側には励起光の戻りを防ぐためのアイソレータ（図示を略す）が配置され、ファイバアンプ２０の出力側には増幅されたレーザ光を通過させる波長フィルタ（図示を略す）が配置される。
【００１４】
この第１実施形態では、複数のファイバレーザ１１b1〜１１ｂnが光スイッチ１４で合波された後の光路に、基本波レーザ光を増幅するファイバアンプ２０を設けているため、ファイバレーザ光源１で発振させるレーザ光の出力（強度）を小さくでき、光スイッチ１２，１４に掛かる負荷を小さくできる。このため、光スイッチ１２，１４として高出力に対応できるものを使用する必要が無く、安価なものを使用できる。また、光スイッチ１２，１４の寿命を縮めずに済む。眼科用の光凝固治療では、通信分野と異なり、可視の治療レーザ光として１Ｗ以上の出力を必要とする。後述する波長変化素子の変換効率を２０％とし、波長変換後の１Ｗの出力を得ようとした場合、そのための基本波レーザ光は５Ｗの出力が必要となる。５Ｗ以上の基本波レーザ光をファイバレーザ光源１で得る場合は、光スイッチも高出力に対応できるものを使用することが必要となる。これに対して、第１実施形態ではファイバレーザ光源１の後の光路にファイバアンプ２０を設ける構成としたことにより、ファイバレーザ光源１で発振させるレーザ光の出力を１Ｗ以下にすることができ、安価な光スイッチを使用することができる。
【００１５】
また、ラマンファイバレーザでは、ラマンシフトされた赤外の基本波レーザ光のスペクトル幅が広くなりやすい問題があったが、オレンジ色レーザ光に波長変換する基本波レーザ光の波長（波長１２００ｎｍまで）もファイバレーザで得るようにしたので、基本波レーザ光のスペクトル幅が広がらず、後述する波長変換素子の変換効率を高くすることができる。このため、波長変換素子に入射させる基本波レーザ光の強度をラマンファイバレーザの場合に比べて低くでき、高価なＬＤ２やＬＤ２４の使用個数を少なくできる。
【００１６】
ファイバアンプ２０を経たレーザ光は、伝送ファイバ２６により波長変換素子ユニット３０側に伝送される。伝送ファイバ２６の出射端の光路には集光レンズ２８、波長変換素子ユニット３０が配置されている。波長変換素子ユニット３０には、ファイバレーザ１０で出力される基本波の波長λ１、λ2、…、λnに対応して、赤外域の各基本波をそれぞれ可視の第２高調波に変換するための複数の波長変換素子３１ａ1，３１ａ2，…，３１ａnが配置されている。波長変換素子ユニット３０は、駆動ユニット３２により移動され、波長変換素子３１ａ1，３１ａ2，…，３１ａnが選択的に集光レンズ２８のレーザ光路に挿入される。
【００１７】
波長変換素子ユニット３０を経て波長変換された可視のレーザ光は、集光レンズ３４ａ，３４ｂにより導光ファイバ３８に入射される。集光レンズ３４ａと３４ｂとの間には、可視の治療レーザ光の一部を分離するビームスプリッタ３６が配置され、ビームスプリッタ３６の反射光路には出力センサ３７が配置されている。導光ファイバ３８により導光されたレーザ光は、デリバリ光学系５０に入射する。なお、波長変換素子ユニット３０で波長変換されなかった基本波レーザ光は、ビームスプリッタ３６までの間に配置されたダンパ光学系（図示を略す）により吸収される。
【００１８】
デリバリ光学系５０は、リレーレンズ５３、レーザ光のスポットサイズを変えるズームレンズ５４、対物レンズ５５、レーザ光を患者眼に向けて反射するミラー５６を備える。デリバリ光学系５０は、患者眼を観察するためのスリットランプ６０が持つ顕微鏡部６１に取り付けられている。また、患者眼はスリットランプ６０の照明部６２により照明される。光凝固治療では、デリバリ光学系５０により導光されたレーザ光は、コンタクトレンズ６５を介して患者眼の眼底に照射される。
【００１９】
上記の光学系のＬＤ２、光スイッチ１２、光スイッチ１４、ＬＤ２４、駆動ユニット３２、出力センサ３７は制御ユニット７０に接続されている。また、制御ユニット７０には、光凝固治療に際して必要な手術条件を入力する操作ユニット７２が接続されている。操作ユニット７２は、治療レーザ光の波長を選択するスイッチ、治療光の出力を調整するスイッチ、レーザ光の照射時間を設定するスイッチ等を備える。
【００２０】
次に、上記の構成を持つ装置の動作を説明する。光凝固治療に好ましい波長としては、凝固効率の良いオレンジ色レーザ光を少なくとも選択できるようにファイバレーザ光源１を構成する。その他の波長としては、高出力が得やすく、従来から光凝固に使用されきた実績の多い緑色レーザ光と、クリプトンレーザで使用されてきた黄色レーザ光を選択できるようにファイバレーザ光源１を構成する。以下では、次のように波長選択可能に構成されているものとする。例えば、第１の選択波長として、ファイバレーザ１０ｂ1にて中心波長１０６０ｎｍの基本波レーザ光を発振させ、これに対応する波長変換素子３１ａ1にて波長５３０ｎｍの緑色レーザ光に変換させる。第２の選択波長として、ファイバレーザ１０ｂ2にて中心波長１１２０ｎｍの基本波レーザ光を発振させ、これに対応する波長変換素子３１ａ2にて波長５６０ｎｍの黄色レーザ光に変換させる。第３の選択波長として、ファイバレーザ１０ｂ3にて中心波長１１６０ｎｍの基本波レーザ光を発振させ、これに対応する波長変換素子３１ａ3にて波長５８０ｎｍのオレンジ色レーザ光に変換させる。
【００２１】
光凝固治療に際して、操作ユニット７２の波長選択スイッチによりオレンジ色レーザ光が選択されると、制御ユニット７０は波長選択信号に応じて光スイッチ１２の出力側をファイバレーザ１０ｂ3に接続すると共に、光スイッチ１４の入力側をファイバレーザ１０ｂ3に接続する。これにより、光スイッチ１４からファイバ１６、ファイバアンプ２０及びファイバ２６を経て出力される基本波レーザ光は、中心波長１１６０ｎｍのレーザ光とされる。なお、光スイッチ１４として接続切換えが不要な合波光学素子のカプラを使用する場合は、波長選択信号による制御を不要とすることも可能である。
【００２２】
また、制御ユニット７０は波長選択信号に応じて駆動ユニット３２の駆動を制御し、中心波長１１６０ｎｍを波長５８０ｎｍに変換するための波長変換素子３１ａ3を、集光レンズ２８の光軸上の所定位置に挿入させる。波長変換素子３１ａ3の挿入により、中心波長１１６０ｎｍが波長５８０ｎｍのオレンジ色レーザ光に変換されて出力される。
【００２３】
ここで、オレンジ色レーザ光を得るための波長１１６０ｎｍをファイバレーザ１０で発振させる場合、波長１１６０ｎｍの強度は小さいため、制御ユニット７０はＬＤ２４からの励起光を予め設定された高めの値まで増大させ、ファイバアンプ２０にて低強度の信号光を増幅させる。波長変換素子３１ａ3により波長変換された波長５８０ｎｍのレーザ光の出力は、センサ３７にて検出される。センサ３７の検出信号は制御ユニット７０に入力される。制御ユニット７０は、ＬＤ２４の駆動を制御し、出力センサ３７にて検出され出力が操作ユニット７２にて設定された出力で安定するようにＬＤ２４の出力をさらに微調整する。波長変換素子３１ａ3を経たレーザ光は、ファイバ３８、デリバリ光学系５０を経て患者眼に照射される。
【００２４】
操作ユニット７２の波長選択スイッチにより緑色レーザ光が選択されると、制御ユニット７０は光スイッチ１２の出力側をファイバレーザ１０ｂ1に接続すると共に、光スイッチ１４の入力側をファイバレーザ１０ｂ1に接続する。また、制御ユニット７０は波長選択信号に応じて駆動ユニット３２の駆動を制御し、波長変換素子３１ａ1を集光レンズ２８の光軸上の所定位置に挿入させる。波長変換素子３１ａ1の挿入により、ファイバレーザ光源１により出力された中心波長１０６０ｎｍが波長５３０ｎｍの緑色レーザ光に変換されて出力される。なお、ファイバレーザ光源１から発振される波長１０６０ｎｍは、他の波長よりも比較的大きな強度で得られるため、制御ユニット７０はＬＤ２４からの励起光を予め設定された低めの値とし、レーザ光をファイバアンプ２０にて増幅させる。そして、出力センサ３７の検出信号に基づいて波長５３０ｎｍの緑色レーザ光が設定値で安定するようにＬＤ２４の駆動を微調整する。
【００２５】
波長選択スイッチにより黄色レーザ光が選択された場合は、光スイッチ１２の出力側及び光スイッチ１４の入力側がファイバレーザ１０ｂ2に接続され、ファイバレーザ光源１からは波長１１２０が発振される。同時に、波長選択信号に応じて波長変換素子３１ａ2がレーザ光路に挿入され、波長１１２０が波長５６０ｎｍのレーザ光に変換される。また、ファイバレーザ光源１から発振される波長１１２０の強度は波長１１６０ｎｍより大きいが、波長１０６０ｎｍよりは小さいため、波長毎に予め設定された値でファイバアンプ１０のＬＤ２４の駆動が制御される。ＬＤ２４の駆動の微調整は、出力センサ３７の信号により行われる。
【００２６】
なお、基本波レーザ光の波長に応じて波長変換素子を切換える手段として、次のように構成しても良い。図３は、波長変換素子の切換え手段の別の例を説明する概略構成図である。伝送ファイバ２６から出射したレーザ光は、レンズ１０２により平行ビームとされ、波長分散光学系としての分散プリズム１０４により波長に応じて空間的に分散される。すなわち、波長λ１，λ2，…，λnのレーザ光は、分散プリズム１０４により異なる方向に曲げられる。偏向プリスム１０６は空間的に分散されたレーザ光が平行な光路となるように、レーザ光の向きを変える。偏向プリスム１０６で偏向される光路上には波長変換素子ユニット１１０が配置されている。波長変換素子ユニット１１０は、基本波の波長λ１、λ2、…、λnをそれぞれ可視の第２高調波に変換するための複数の波長変換素子１１１ａ1，１１１ａ2，…，１１１ａnで構成されている。各波長変換素子１１１ａ1，１１１ａ2，…，１１１ａnは、波長分散光学系を構成する分散プリズム１０４及び偏向プリスム１０６により異なる光路に分散された位置に対応して配置さている。波長変換素子１１１ａ1〜１１１ａnにより波長変換されたレーザ光は、その空間的な分散が波長合波光学系を構成する偏向プリズム１１４及び合波プリズム１１６により再び１つの光路に合波される。なお、波長変換素子１１１ａ1〜１１１ａnで波長変換されなかった基本波レーザ光は、偏向プリズム１１４により波長変換後のレーザ光と大きく異なった方向に曲げられ、ダンパー１１８で吸収される。合波プリズム１１６で合波されたレーザ光は、集光レンズ１２０により実施形態１と同じ導光ファイバ３８に入射される。この変容例の場合、波長変換素子を機械的に移動させる機構が不要となり、長期の使用に有利である。
【００２７】
図４は、第２実施形態の眼科用レーザ装置の概略構成図である。図１と同一要素には同一の符号を付し、説明を省略する。
【００２８】
ファイバレーザ光源２０１は、第１実施形態のファイバレーザ光源１と基本構成を同じである。２０２は励起光源としてＬＤであり、入力強度を大きく変化可能に複数個設けられている。ＬＤ２０２からの励起光（波長λｐ＝９８０ｎｍ）は、カプラ２０４を経てファイバレーザ２１０に入力される。ファイバレーザ２１０の構成は、図１のファイバレーザ１０と同じである。すなわち、ファイバレーザ２１０は、ＬＤ２０２からの励起光が入力される１つの第１ファイバレーザ２１０ａと、Ｎ個の第２ファイバレーザ２１０ｂ1，２１０ｂ2，…，２１０ｂnと、第１ファイバレーザ２１０ａからの光経路をＮ個の第２ファイバレーザ２１０ｂ1〜２１０ｂnに選択的に切換えるための光スイッチ２１２を備える。第１ファイバレーザ２１０ａの入力端側に全反射ミラーとして機能するＦＢＧ２１１ａが形成され、第２ファイバレーザ２１０ｂ1〜２１０ｂnの出力端側には、それぞれ波長λ１，λ2，…，λnのレーザ光を発生させるための出力ミラーとして機能するＦＢＧ２１１ｂ1，ＦＢＧ２１１ｂ2，…，ＦＢＧ２１１ｂnが形成されている。以上によりファイバレーザ光源２０１が構成される。
【００２９】
この第２実施形態では、第２ファイバレーザ２１０ｂ1〜２１０ｂnから選択的に出力される基本波レーザ光に対応してそれぞれ第２高調波に変換させる複数の波長変換素子２３１ａ1，２３１ａ2，…，２３１ａnを、各第２ファイバレーザ２１０ｂ1，２１０ｂ2，…，２１０ｂnの出射端に接続している。波長変換素子２３１ａ1，２３１ａ2，…，２３１ａnは、それぞれに接続された伝送ファイバ２３３ａ1，２３３ａ2，…，２３３ａnを介して光合成器としての光スイッチ２３４に接続されている。光スイッチ２３４は、図１の光スイッチ１４と同じく、入力Ｎ個×出力１個の構造を持つ。光スイッチ２３４の出力ポートには伝送ファイバ２３６が接続され、伝送ファイバ２３６の出射端には集光レンズ２３８ａ，２３８ｂが配置されている。伝送ファイバ２３６から出射したレーザ光は、集光レンズ２３８ａ，２３８ｂにより図１と同じ導光ファイバ３８に入射される。そして、ファイバ３８に導光されるレーザ光は、図１の場合と同じくデリバリ光学系５０によって患者眼に照射される。
【００３０】
集光レンズ２３８ａ，２３８ｂの間には、波長変換素子２３１ａ1〜２３１ａnにより波長変換された可視の治療レーザ光の一部を分離するビームスプリッタ２４０が配置され、ビームスプリッタ２４０の反射光路には出力センサ２４２が配置されている。なお、波長変換されずに残った赤外の基本波レーザ光は、ビームスプリッタ２４０に至る前に配置された図示を略すダンパー光学系により吸収される。また、制御ユニット７０には、ＬＤ１０１，光スイッチ２１２，光スイッチ２３４，出力センサ２４２，手術条件を入力する操作ユニット７２が接続されている。
【００３１】
第１実施形態と同じく、ファイバレーザ２１０は次のように構成されているものとする。第１の選択波長として、ファイバレーザ２１０ｂ1にて中心波長１０６０ｎｍの基本波レーザ光を発振させ、これに対応する波長変換素子２３１ａ1にて波長５３０ｎｍの緑色レーザ光に変換させる。第２の選択波長として、ファイバレーザ２１０ｂ2にて中心波長１１２０ｎｍの基本波レーザ光を発振させ、これに対応する波長変換素子２３１ａ2にて波長５６０ｎｍの黄色レーザ光に変換させる。第３の選択波長として、ファイバレーザ２１０ｂ3にて中心波長１１６０ｎｍの基本波レーザ光を発振させ、これに対応する波長変換素子２３１ａ3にて波長５８０ｎｍのオレンジ色レーザ光に変換させる。
【００３２】
治療に際して、操作ユニット７２が持つ選択スイッチにより治療レーザ光の波長を選択されると、制御ユニット７０はその選択信号に応じて光スイッチ２１２の出力側を切換えると共に、光スイッチ２３４の入力側を切換える。例えば、オレンジ色レーザ光が選択されたときは、ファイバレーザ２１０ｂ3にて波長１１６０ｎｍのレーザ光が発振され、そのレーザ光が波長変換素子２３３ａ3に入射することにより、波長５８０ｎｍのレーザ光に変換される。また、制御ユニット７０は、センサ２４２で検出される出力が操作ユニット７２の出力調整スイッチで設定された出力となるように、ＬＤ２０１の出力を制御する。光スイッチ２３４から出射した可視の治療レーザ光は、ファイバ２３６，３８，デリバリ光学系５０を介して患者眼に照射される。
【００３３】
第２実施形態の装置においては、第１実施形態に対してファイバアンプ、波長変換素子の移動機構が不要となるので、装置構成が簡単となり、安価に製造できる。
【図面の簡単な説明】
【００３４】
【図１】第１実施形態の眼科用レーザ装置の概略構成図である。
【図２】Ｙｂガラスファイバの吸収スペクトル特性と放射スペクトル特性の図である。
【図３】波長変換素子の切換え手段の別の例を説明する概略構成図である。
【図４】第２実施形態の眼科用レーザ装置の概略構成図である。
【符号の説明】
【００３５】
１  ファーバレーザ光源１
２  ＬＤ
１０ｂ1，１０ｂ2，…，１０ｂn  第２ファイバレーザ
１２，１４  光スイッチ
２０  ファイバアンプ
３１ａ1，３１ａ2，…，３１ａn  波長変換素子
３８  導光ファイバ
５０  デリバリ光学系
７０  制御ユニット
７２  操作ユニット
１０４  分散プリズム
１０６  偏向プリスム
１１１ａ1，１１１ａ2，…，１１１ａn  波長変換素子
１１４  偏向プリズム
１１６  合波プリズム
２３１ａ1，２３１ａ2，…，２３１ａn  波長変換素子
【図１】
0004841214.tif 000002
【図２】
0004841214.tif 000003
【図３】
0004841214.tif 000004
【図４】
0004841214.tif 000005